(57)【特許請求の範囲】
【請求項１】
ホストコンピュータを接続する手段と、該手段によって接続したホストコンピュータから受け取ったデータをファクシミリ送信する送信手段とを有する送信装置と、カラー印刷可能な印刷装置を接続する手段と、前記送信装置から送信されたデータを受信する受信手段と、該手段によって受信したデータを前記印刷装置へ転送する転送手段とを有する受信装置とからなるデータ送受信システムにおいて、
前記送信装置に、前記受信装置に対して自装置とメーカーユニークなデータ転送が可能な同一製造元であるか否かと前記印刷装置側で印刷可能なカラーデータのデータ形式を問い合わせる問合手段と、該手段によって前記受信装置が自装置とメーカーユニークなデータ転送が可能な同一製造元であり且つ前記ホストコンピュータから受け取ったカラーデータが前記印刷装置側で印刷可能なカラーデータのデータ形式に合致した場合、前記受信装置との間でメーカーユニークなデータ転送を可能にした後、前記ホストコンピュータから受け取ったカラーデータをバイナリデータのまま前記受信装置へ送信するバイナリ送信手段とを設け、
前記受信装置に、前記送信装置からの問い合わせに対して前記送信装置とメーカーユニークなデータ転送が可能な同一製造元であるか否かと前記印刷装置側で印刷可能なカラーデータのデータ形式を回答する回答手段と、前記送信装置との間でメーカーユニークなデータ転送を可能にした後、前記送信装置からバイナリデータのカラーデータを受信したとき、該カラーデータを前記印刷装置へ転送する転送手段とを設けたことを特徴とするデータ送受信システム。
【請求項２】
請求項１記載のデータ送受信システムにおいて、
前記受信装置に、前記印刷装置から印刷可能なカラーデータのデータ形式を示す能力情報を取得する能力情報取得手段と、前記回答手段によって前記送信装置からの問い合わせに対してメーカーユニークなデータ転送が可能な同一製造元であるか否かと共に前記能力情報を回答させる手段とを設けたことを特徴とするデータ送受信システム。
【請求項３】
請求項２記載のデータ送受信システムにおいて、
前記送信装置に、前記問合手段によって前記受信装置から前記能力情報を予め取得させる手段と、該手段によって取得した能力情報を記憶する能力情報記憶手段と、前記ホストコンピュータからカラーデータのファクシミリ送信が指示されたとき、前記能力情報記憶手段に記憶されている能力情報に基づいて前記ファクシミリ送信が指示されたカラーデータが前記印刷装置側で印刷可能なカラーデータのデータ形式と合致しないと判断されたとき、前記ホストコンピュータへ警告を通知する警告通知手段とを設けたことを特徴とするデータ送受信システム。
【請求項４】
請求項１乃至３のいずれか一項に記載のデータ送受信システムにおいて、
前記受信装置に、前記印刷装置へカラーデータを転送した後、転送先，転送時刻等の転送情報を出力する転送情報出力手段を設けたことを特徴とするデータ送受信システム。
【発明の詳細な説明】
【０００１】
【発明の属する技術分野】
この発明は、ファクシミリ，ネットワーク（カラー）プリンタ、ネットワーク対応（カラー）デジタル複合機等を用いたデータ送受信システムに関する。
【０００２】
【従来の技術】
近年カラードキュメントが多用されているが、ファクシミリ分野でもカラーデータを扱いたいという要望も多い。
本来の意味でのカラーＦＡＸは、カラースキャナで読み取ったデータをＧ４回線を通じて相手のカラーＦＡＸに送信して出力するものであり、ＩＴＵ−Ｔ機関で標準化されている。
【０００３】
しかし、カラー原稿をＦＡＸする用途を考えると、画質の面で微細字（例えば、４００ｄｐｉ）モードが必要になり、その結果、送信するデータ量も多くなるし、データ量と通信時間の関係でＧ４回線の利用が前提になり、Ｇ４契約及び回線使用料も大幅ＵＰしてしまう。
【０００４】
また、カラー交信のためには、カラーＦＡＸが市場に普及することが大前提であるが、製品の価格が高くなるため、さらに異なるメーカー同士では、スキャナ特性やプリンタ特性も異なるために色の再現性の面でも調整が難しいので、それらの代償を払ってまでもカラーＦＡＸしたいという市場ニーズは少なかった。
【０００５】
したがって、現在のところ各メーカーはカラーＦＡＸを試作にとどめて商品化には至っていない。
【０００６】
一方、最近の企業内ではＬＡＮの使用が当たり前になり、電子メールの使用によりＦＡＸはほとんど使用されなくなってきている。
コンピュータの電子メール機能は、ファイルを簡単に添付して相手に送ることができるので、様々な用途に対応できるメリットが有るためである。
【０００７】
但し、送信相手先のマシンに電子メールに添付したファイルを開く為の同一アプリケーションが搭載されていなければ、せっかく送ったファイルも容易に開くことが出来なくなるので、電子メールさえ有れば万能という訳ではない。
【０００８】
さらに、電子メールを送っても相手先がマシンの電源を切っていたり、不在であれば電子メールが開かれることが無いので、例えば、本店−支店間の情報連絡などにはＦＡＸが依然必要とされる分野は多い。
また、電子メールではサーバの負荷により、実際に送付されるまでの遅延時間が問題になるケースも有る。
【０００９】
さらに、インターネットが普及している現状でも、パソコンに不慣れなためにインターネット接続を諦めて、依然としてＦＡＸに依存している個人や小さな会社も多く、このような相手先との情報伝達手段としてもＦＡＸは欠かすことができない。
【００１０】
また、ＩＰＰ（Ｉｎｔｅｒｎｅｔ  Ｐｒｉｎｔｉｎｇ  Ｐｒｏｔｏｃｏｌ）を用いて、インターネット経由で相手のＬＡＮ環境につながるプリンタに対し、リモートで印刷指示する方式も検討されているが、ファイアウォールの問題が有り、実用化されるまでには解決すべき問題も多い。
【００１１】
従来、ファクシミリ装置を用いたデータ送受信システムには、受信側から送信側へファクシミリ送信の際の最適な伝送速度を通知する方式（例えば、特開平５−３２８０８４号公報参照）があった。
【００１２】
また、ファクシミリの交信にはＩＴＵ−Ｔにて、メーカーユニークなものが許されている。
例えば、ＢＦＴ（Ｂｉｎａｒｙ  Ｆｉｌｅ  Ｔｒａｎｓｆｅｒ）送受信と称されるモードがその１つであるが、基本的にはメーカーユニークな方式なので、他のメーカーのファクシミリ装置との交信には使えないし、同一メーカーの機種であっても、その機能をサポートしている機種のみに限定される。
【００１３】
そのような制約は有っても、用途を限定して、コピア機能，プリンタ機能，及びＦＡＸ機能を持つデジタル複合機などでは、ホストコンピュータからプリンタ用の印刷出力されたデータをバイナリデータのままファクシミリ（ＦＡＸ）送信して、受信側のファクシミリ装置でも、ファクシミリ（ＦＡＸ）受信したデータをプリンタ制御部に渡すことによってリモートプリントを実現しているシステム（例えば、特開平７−４６３６０号公報，特開平９−１８６８１５号公報，特開平９−２６１４４５号公報参照）もあった。
【００１４】
さらに、最近では、インターネット経由で相手のＬＡＮ環境に存在するプリンタを参照し、その中のいずれかのプリンタを直接指定してリモートプリントする仕組みも検討されている。
【００１５】
【発明が解決しようとする課題】
しかしながら、上述のような装置やシステムでは、カラーデータを低コストでファクシミリ送信することができないという問題があった。
【００１６】
この発明は上記の課題を解決するためになされたものであり、ファクシミリ送信機能を用いて遠隔地にあるカラープリンタに印刷出力することによって擬似的にカラーＦＡＸを実現できるようにすることを目的とする。
【００１７】
【課題を解決するための手段】
この発明は上記の目的を達成するため、ホストコンピュータを接続する手段と、その手段によって接続したホストコンピュータから受け取ったデータをファクシミリ送信する送信手段を有する送信装置と、カラー印刷可能な印刷装置を接続する手段と、上記送信装置から送信されたデータを受信する受信手段と、その手段によって受信したデータを上記印刷装置へ転送する転送手段を有する受信装置とからなるデータ送受信システムにおいて、上記送信装置に、上記受信装置に対して自装置とメーカーユニークなデータ転送が可能な同一製造元であるか否かと上記印刷装置側で印刷可能なカラーデータのデータ形式を問い合わせる問合手段と、その手段によって上記受信装置が自装置とメーカーユニークなデータ転送が可能な同一製造元であり且つ上記ホストコンピュータから受け取ったカラーデータが上記印刷装置側で印刷可能なカラーデータのデータ形式に合致した場合、上記受信装置との間でメーカーユニークなデータ転送を可能にした後、上記ホストコンピュータから受け取ったカラーデータをバイナリデータのまま上記受信装置へ送信するバイナリ送信手段を設け、上記受信装置に、上記送信装置からの問い合わせに対して上記送信装置とメーカーユニークなデータ転送が可能な同一製造元であるか否かと上記印刷装置側で印刷可能なカラーデータのデータ形式を回答する回答手段と、上記送信装置との間でメーカーユニークなデータ転送を可能にした後、上記送信装置からバイナリデータのカラーデータを受信したとき、そのカラーデータを上記印刷装置へ転送する転送手段を設けたものである。
【００１８】
また、上記のようなデータ送受信システムにおいて、上記受信装置に、上記印刷装置から印刷可能なカラーデータのデータ形式を示す能力情報を取得する能力情報取得手段と、上記回答手段によって上記送信装置からの問い合わせに対してメーカーユニークなデータ転送が可能な同一製造元であるか否かと共に上記能力情報を回答させる手段を設けるとよい。
【００１９】
さらに、上記のようなデータ送受信システムにおいて、上記送信装置に、上記問合手段によって上記受信装置から上記能力情報を予め取得させる手段と、その手段によって取得した能力情報を記憶する能力情報記憶手段と、上記ホストコンピュータからカラーデータのファクシミリ送信が指示されたとき、上記能力情報記憶手段に記憶されている能力情報に基づいて上記ファクシミリ送信が指示されたカラーデータが上記印刷装置側で印刷可能なカラーデータのデータ形式と合致しないと判断されたとき、上記ホストコンピュータへ警告を通知する警告通知手段を設けるとよい。
【００２０】
さらにまた、上記のようなデータ送受信システムにおいて、上記受信装置に、上記印刷装置へカラーデータを転送した後、転送先，転送時刻等の転送情報を出力する転送情報出力手段を設けるとよい。
【００２１】
【発明の実施の形態】
以下、この発明の実施形態を図面に基づいて具体的に説明する。
図１は、この発明の一実施形態のファクシミリ送受信データ転送システムの構成を示すブロック図である。
【００２２】
図２は、図１に示したデジタル複合機の主要部の内部構成を示すブロック図である。
図３は、図２に示したＦＡＸアプリケーションに渡されるデータ構造を示す説明図である。
【００２３】
図１に示すように、このファクシミリ送受信データ転送システムは、送信側としてホストコンピュータのパソコン１と、デジタル複合機２を有し、受信側としてデジタル複合機３と、ネットワーク上のパソコン４と５、カラーレーザプリンタ６と７とを有している。
【００２４】
デジタル複合機２はパソコン１を接続するバイセントロもしくはイーサネット等のインタフェース（Ｉ／Ｆ）を備えている。
一方、上記ネットワークはイーサネット等である。
【００２５】
デジタル複合機２と３は、図２に示すように、ＦＡＸアプリケーション１０，プリンタアプリケーション１１，コピアアプリケーション１２，ネットワークアプリケーション１３，システム制御部１４，Ｉ／Ｏ制御部１５，及びＯＳ１６等からなる。
【００２６】
すなわち、このファクシミリ送受信データ転送システムが、ホストコンピュータを接続する手段と、その手段によって接続したホストコンピュータから受け取ったデータをファクシミリ送信する送信手段を有する送信装置（デジタル複合機２）と、カラー印刷可能な印刷装置を接続する手段と、上記送信装置から送信されたデータを受信する受信手段と、その手段によって受信したデータを上記印刷装置へ転送する転送手段を有する受信装置（デジタル複合機３）とからなるデータ送受信システムに相当する。
【００２７】
また、上記デジタル複合機２のＦＡＸアプリケーション１０，システム制御部１４等が、上記受信装置に対して自装置とメーカーユニークなデータ転送が可能な同一製造元であるか否かと上記印刷装置側で印刷可能なカラーデータのデータ形式を問い合わせる問合手段と、その手段によって上記受信装置が自装置とメーカーユニークなデータ転送が可能な同一製造元であり且つ上記ホストコンピュータから受け取ったカラーデータが上記印刷装置側で印刷可能なカラーデータのデータ形式に合致した場合、上記受信装置との間でメーカーユニークなデータ転送を可能にした後、上記ホストコンピュータから受け取ったカラーデータをバイナリデータのまま上記受信装置へ送信するバイナリ送信手段の機能を果たす。
【００２８】
さらに、上記デジタル複合機３のネットワークアプリケーション１３，システム制御部１４等が、上記送信装置からの問い合わせに対して上記送信装置とメーカーユニークなデータ転送が可能な同一製造元であるか否かと上記印刷装置側で印刷可能なカラーデータのデータ形式を回答する回答手段と、上記送信装置との間でメーカーユニークなデータ転送を可能にした後、上記送信装置からバイナリデータのカラーデータを受信したとき、そのカラーデータを上記印刷装置へ転送する転送手段の機能を果たす。
【００２９】
まず、デジタル複合機２につながるパソコン１上でカラー文書（カラーデータ）を作成し、これをデジタル複合機３へ送信するケースを説明する。
パソコン１には、通常のプリンタ用ドライバソフトまたはユーティリティソフトがあり、その一部をモディファイしてデジタル複合機２にＦＡＸ送信する宛先情報や送信条件（時刻指定送信など）をユーザに入力させる機能を設けている。
【００３０】
実際のデジタル複合機２への出力データは、宛先や送信条件のヘッダ部に続き、送信対象のカラー文書のプリンタ用印刷データから構成される。
デジタル複合機２では、Ｉ／Ｏ制御部１５によってカラー文書のデータを受けると、そのヘッダ部をチェックし、ＦＡＸ送信用のデータと確認するとシステム制御部１４に渡す。
【００３１】
なお、この実施形態では、プリンタ機能，ＦＡＸ機能，及びコピア機能を含んだデジタル複合機の構成を示しているが、この発明の実現の為には、プリンタ機能，コピア機能は必ずしも必要では無い。
【００３２】
また、パソコン１からプリンタ出力させるのに、デジタル複合機２にプリンタ機能が必須である必要は無い。
つまり、単にパソコン１からＩ／Ｆを介して送られるデータをハンドシェーク可能でバッファリング出来る機能が有れば、デジタル複合機２にプリンタ機能は無くても良い。
【００３３】
次に、デジタル複合機２のシステム制御部１４は、パソコン１から受け取ったカラーデータをＦＡＸ送信するために、図２に示したＦＡＸアプリケーション１０に通知する。
この時、ＦＡＸアプリケーション１０には、宛先情報と送信条件、そして送信すべきプリンタ印刷データが渡される（図３を参照）。
【００３４】
上記送信条件にはカラーＦＡＸ送信である事が示されており、これを参照してシステム制御部１４はバイナリ転送モードに移行する。
このバイナリ転送モードは、通常のＦＡＸ送信モードと異なり、メーカーユニークな送信方法である。
【００３５】
図４は、図１に示したファクシミリ送受信データ転送システムにおけるメーカーユニークな送信の場合の交信手順を示す図である。
送信側のデジタル複合機２は、送信相手先である受信側のデジタル複合機３を呼び出し、回線上閉結されると、図中矢示２０で示すように、ＮＳＦ信号によって受信側のデジタル複合機３から受信能力が通知されてくる。
【００３６】
そのＮＳＦ（Ｎｏｎ  Ｓｔａｎｄａｒｄ  Ｆａｃｉｌｉｔｉｅｓ）信号がメーカーユニークな受信能力通知用の信号であり、メーカー情報を始め、各種受信側能力が含まれている。
【００３７】
このＮＳＦ信号を受けて、送信側のデジタル複合機２では受信側のデジタル複合機３が自機と同じメーカー（製造元）であれば、ＮＳＦ信号に対する送信側条件通知信号（ＮＳＳ：Ｎｏｎ  Ｓｔａｎｄａｒｄ  Ｆａｃｉｌｉｔｉｅｓ  Ｓｅｔ−ｕｐ）を返すことにより、以後メーカーユニークなデータ転送が可能なる。ここでは通常の画情報送信とは異なり、パソコン１から受けたプリンタ印刷データをバイナリデータのまま送信する。
【００３８】
但し、送信側のデジタル複合機２では、ファクシミリ送信の前にここでもう１つ行なう処理がある。
それは、受信側のデジタル複合機３から通知されて来るＮＳＦ信号の中に、ネットワーク上のプリンタ６と７のページ記述言語（ＰＤＬ）のサポート情報がアサインされているので、今から送ろうとしているプリンタコードのデータ形式がサポートされていることを確認の上、実際のデータ転送フェーズに進む。
もし、未サポートであれば、ＤＣＮ（Ｄｉｓｃｏｎｎｅｃｔ）信号を出し、回線を切断してカラーデータの送信を中止する。
【００３９】
上記の条件をクリアして、実際にカラーデータの送信が行われ、デジタル複合機３にデータが全て受信出来たものとして説明を続ける。
デジタル複合機３には予め、受信したプリンタコードをどこに転送すべきかの情報が用意されている。
【００４０】
例えば、図１に示したカラーレーザプリンタ７が該当する転送先の場合、受信したカラーデータをネットワークを介してバイナリデータのままカラーレーザプリンタ７へ転送する。
【００４１】
この実施形態では、カラーレーザプリンタがネットワークにつながる場合の例をあげているが、デジタル複合機３にＵＳＢ，ＳＣＳＩ，及びＩＥＥＥ１３９４などのインタフェースで接続するケースもあり得る。
【００４２】
そして、カラーレーザプリンタ７では、デジタル複合機３からのカラーデータをバイナリのまま受けて印刷出力する。
以上の手順を踏んで、ＦＡＸされたカラー文書が印刷出力される。
【００４３】
次に、図１に示したデジタル複合機２と３の間で能力交換時に送信するプリンタコードのＰＤＬが正しく受信側のデジタル複合機３のシステムでサポートされている事が必要である。
【００４４】
これを誤ると、送信側のデジタル複合機２では正常に送信を完了したことになっても、受信側のデジタル複合機３で受信したカラーデータは正常に出力されないで終わってしまう。
【００４５】
そこで、受信側のシステムが図５に示すようなネットワーク構成の場合、デジタル複合機３１は予め各プリンタ３２〜３４からＩＰアドレス（ネームサーバが有る場合は各ネーム）と機能とＰＤＬサポート内容を取得し、それらを関連付けた能力情報をデジタル複合機３１内にリストで保持する。
【００４６】
図６は、能力情報のリストの一例を示す説明図である。
このように、リスト内には、各プリンタ３２〜３４のＩＤ名とカラー印刷及び白黒印刷の別と、プリンタの機種名とサポートしているデータ形式とを対応させて記憶している。
【００４７】
そして、デジタル複合機２との能力交換時には、ネットワーク上につながるそれらのプリンタ３２〜３４の全ての機能を示す能力情報を通知するようにする。
【００４８】
すなわち、上記デジタル複合機３１のシステム制御部１４等が、上記印刷装置から印刷可能なカラーデータのデータ形式を示す能力情報を取得する能力情報取得手段と、上記回答手段によって上記送信装置からの問い合わせに対してメーカーユニークなデータ転送が可能な同一製造元であるか否かと共に上記能力情報を回答させる手段の機能を果たす。
【００４９】
また、受信したプリンタコードの種別に従って上記リストを参照し、転送先のプリンタを求めて転送する。
このリスト作成の手段としては、デジタル複合機３１の操作部から入力してもいいし、可能で有ればＳＮＭＰ（Ｓｉｍｐｌｅ  Ｎｅｔｗｏｒｋ  Ｍａｎａｇｅｍｅｎｔ  Ｐｒｏｔｏｃｏｌ）を使用し、各プリンタ３２〜３４のＭＩＢ（Ｍａｎａｇｅｍｅｎｔ  Ｉｎｆｏｒｍａｔｉｏｎ  Ｂａｓｅ）情報を取得して自動的に管理リストを作成する方法も有る。
【００５０】
次に、送信側のデジタル複合機２に対して、上述のようなカラーＦＡＸ機能を使用したい宛先に対し、実際の送信に先だって受信側の受信能力を把握するための手段（モード）を用意するとよい。
【００５１】
すなわち、上記送信側のデジタル複合機２のＦＡＸアプリケーション１０，システム制御部１４，Ｉ／Ｏ制御部１５等が、上記問合手段によって上記受信装置から上記能力情報を予め取得させる手段と、その手段によって取得した能力情報を記憶する能力情報記憶手段と、上記ホストコンピュータからカラーデータのファクシミリ送信が指示されたとき、上記能力情報記憶手段に記憶されている能力情報に基づいて上記ファクシミリ送信が指示されたカラーデータが上記印刷装置側で印刷可能なカラーデータのデータ形式と合致しないと判断されたとき、上記ホストコンピュータへ警告を通知する警告通知手段の機能を果たす。
【００５２】
デジタル複合機２は、ＦＡＸアプリケーション１０によってこのモードで発呼すると、送信原稿無しに発呼し、上述したメーカーユニークな受信能力を示すＮＳＦ信号（矢示２０）を取得し、その後ＤＣＮ信号を出して回線断する。
【００５３】
そして、Ｉ／Ｏ制御部１５によってＮＳＦ信号の内容を解析して送信可能なＰＤＬ種等の情報をパソコン１に通知する。
なお、デジタル複合機３から送信された上記リストをそのままパソコン１へ送信するようにしてもよい。
【００５４】
こうして、パソコン１のドライバまたはユーティリティソフトは、カラーデータの送信先をユーザが指定した時点で、その送信可否の判断が付くので、ＮＧの場合は警告を即座に表示することができる。
さらに、受信側のプリンタに合ったプリンタドライバを自動検索＆選択して印刷コードを生成させることも可能となる。
【００５５】
次に、受信側のデジタル複合機３又は３１では、受信したデータが通常のＦＡＸ受信で無いことは、図４の伝送手順中の能力情報交換の際に、矢示２１で示すように、送信側のデジタル複合機２から通知される送信条件信号（ＮＳＳ）で明らかとなる。そこで、デジタル複合機３と３１において、カラーデータの転送の際に転送先や転送時刻を出力するようにすることもできる。
【００５６】
すなわち、上記デジタル複合機３と３１のシステム制御部１４，Ｉ／Ｏ制御部１５等が、上記印刷装置へカラーデータを転送した後、転送先，転送時刻等の転送情報を出力する転送情報出力手段の機能を果たす。
【００５７】
デジタル複合機３及び３１は、実際にプリンタコードを受信し、そのデータを処理可能なネットワーク上のプリンタへ転送すると、その際、転送先のプリンタの名称（またはＩＰアドレス）と転送時刻などの転送情報（付帯情報）を記したレポートを出力し、外からのＦＡＸ受信が有ったことをユーザに通知する。
また、レポートが不要な場合や紙無しで出せない場合でも、操作部の通信ログを見ればどのプリンタに転送したかを確認出来るように出力する。
【００５８】
この実施形態のファクシミリ送受信データ転送システムは、ホストコンピュータ上で作成したカラー原稿を、Ｇ３またはＧ４の公衆回線経由で遠隔地にあるマシンに送り、そのマシンにつながるカラープリンタに転送することで、擬似的にカラーＦＡＸを実現することができる。
【００５９】
つまり、カラー原稿が遠隔地にＦＡＸ感覚で送れ、送付先のマシンにカラープリンタ機能が無くても、それにつながる（通常はネットワーク上の）カラープリンタが有ればそこに出力することが出来る。
【００６０】
また、送信されるカラーデータは、プリンター用の印刷コードデータであり、フォントやグラフィックは基本的にコード（コマンド）であり、イメージデータに比べ、遥かにデータ量が少なくて済む。
故に、Ｇ４のみならずＧ３でもカラーＦＡＸの利用が実用レベルになる。
【００６１】
さらに、ＦＡＸの場合、全てがイメージで送られるため、解像度を上げるとデータ量も飛躍的に増えるが、この実施形態のシステムでは、フォントコードやグラフィックコマンドは解像度の影響は受けずにコード（コマンド）量は変わらないので、それらが受信側のプリンタで描画される際、プリンタの解像度が高ければ高いほどきれいな結果が得られる。
【００６２】
したがって、ネットワーク等を導入できない小規模の会社に対しても、カラー文書を低コストで送信することが出来る。
また、プリンタの印刷コードを直接相手に対して送るため、基本的にカラーであってもデータ量は少なく、Ｇ３での送信にも耐えられるし、通話料金も多くはかからない。
【００６３】
さらに、メールでファイル添付して送る場合に比べ、遅延が問題になることも少なく、相手先のパソコンの電源が切られていてメールを読んでもらえないという心配も無い。
【００６４】
さらにまた、送信側と受信側ともプリンタ機能（白黒，カラー）が付いていなくとも、ネットワークや各種のインタフェースを介して接続されるプリンタが有れば、パソコンで作成した文書を相手に送って出力させることが可能になる。
【００６５】
また、受信側の環境に複数のプリンタがネットワークでつながれている場合、自動的にそれらのタイプや能力を知ることが出来るし、あるいはマニュアルで転送したいプリンタを指定することが可能になり、カラー（白黒）ＦＡＸ出力が可能になる。
【００６６】
さらに、この実施形態のシステムを利用して送りたい相手先の情報を事前に取得し、それをパソコン側のドライバ，ユーティリティソフトに通知できるため、パソコン上で宛先を指定した時点で送信の可否を判断することができる。
【００６７】
また、送付先の環境に合わせて、出力ドライバの選択も可能になる。
さらに、カラーデータを送れない相手先に送ったつもりになって未送信のままにしてしまう危険を回避することができる。
【００６８】
また、プリンタコードを受け取って、自動転送した先をレポート印刷または操作部上の表示でユーザに通知することができるため、ＦＡＸ受信したことを気づかないケースを回避することが出来る。
【００６９】
さらに、データ送信がＦＡＸ故、インターネットプリンティングの様に、ファイアーウォールの問題も無い。
【００７０】
【発明の効果】
以上説明してきたように、この発明のデータ送受信システムによれば、ファクシミリ送信機能を用いて遠隔地にあるカラープリンタに印刷出力することによって擬似的にカラーＦＡＸを実現するので、カラーデータを低コストでファクシミリ送信することができる。
【図面の簡単な説明】
【図１】この発明の一実施形態のファクシミリ送受信データ転送システムの構成を示すブロック図である。
【図２】図１に示したデジタル複合機の主要部の内部構成を示すブロック図である。
【図３】図２に示したＦＡＸアプリケーションに渡されるデータ構造を示す説明図である。
【図４】図１に示したファクシミリ送受信データ転送システムにおけるメーカーユニークな送信の場合の交信手順を示す図である。
【図５】図１に示したファクシミリ送受信データ転送システムの受信側のシステムの他の構成例を示す図である。
【図６】図１及び図５に示したデジタル複合機に保持される能力情報のリストの一例を示す説明図である。
【符号の説明】
１，４，５，３０：パソコン
２，３，３１：デジタル複合機
６，７：カラーレーザプリンタ
１０：ＦＡＸアプリケーション
１１：プリンタアプリケーション
１２：コピアアプリケーション
１３：ネットワークアプリケーション
１４：システム制御部  １５：Ｉ／Ｏ制御部
１６：ＯＳ            ３２〜３４：プリンタ
【図１】
0003808253.tif 000002
【図２】
0003808253.tif 000003
【図３】
0003808253.tif 000004
【図４】
0003808253.tif 000005
【図５】
0003808253.tif 000006
【図６】
0003808253.tif 000007